(57)【要約】【課題】コーンを核としてコア部に表示体を外被し、その一部を張出させ、多様な表示ができる機能を備え、しかも簡単に組立・解体できて搬送時にはシート状にして嵩低く取扱える構成とされた立体標識を提供する。【解決手段】ベース部４の中央に立体錐形のコア部３が直立するコーン２と、このコーン２のコア部３に沿わせて外被するシート材で形成される表示体１０とで構成され、表示体１０は、コア部３の外面に沿って保持される形状にされた主体部１１の少なくとも一箇所で外向きの接合縁部１２，１３を形成され、この接合縁部１２，１３でファスナー１８により接合されてコア部３に主体部１１が外被保持されるようにし、前記接合縁部１２，１３の一部または全部をコア中心から放射状に突出して拡大表示部１４が形成され、表面に文字・図形などが表示されている。【選択図】図１
2008138367.tif 000002
【特許請求の範囲】
【請求項１】
所要面積を有するベース部の中央に立体錐形のコア部が直立して形成される支持体と、この支持体の前記コア部に沿わせて外被するシート材で形成される表示体とで構成され、
前記表示体は、前記コア部の外面に沿って保持される形状にされた主体部の少なくとも一箇所に外向きの接合縁部が形成され、この接合縁部でファスナーにより接合されて前記コア部に主体部が外被保持されるようにし、かつ前記接合縁部の一部または全部をコア部中心から放射状に突出して拡大表示部が形成され、表面に文字・図形などが表示されていることを特徴とする立体標識。
【請求項２】
前記表示体における主体部の接合縁部は、扇形状に形成されたシート材の両側端が前記コア部の母線に沿って設けられる折目線を介してコア部表面から適宜幅寸法で張出すように形成され、複数箇所でファスナーにより閉じ合わせ得る構成である請求項１に記載の立体標識。
【請求項３】
前記表示体の主体部の内面には１条以上の縦溝が刻設されている請求項１に記載の立体標識。
【請求項４】
前記拡大表示部は、外形をキャラクタに対応させた形状に形成されている請求項１に記載の立体標識。
【請求項５】
前記表示体の主体部には、一部を残して引起し可能に切抜き形成される表示部片が設けられている請求項１に記載の立体標識。
【請求項６】
前記表示体には、携帯情報端末機で読み取れる表示記号を表わすようにされている請求項１に記載の立体標識。
【発明の詳細な説明】
【技術分野】
【０００１】
本発明は、主にトラフィック・コーン（単にコーンと呼ばれる）を利用してイベントなどのガイド表示，歩行者などに対しての注意喚起や広告媒体とする立体標識に関するものである。
【背景技術】
【０００２】
一般に、工事現場や道路・広場などで通行者に注意を喚起する標識などとして、方形のベース部から円錐形の主体部を直立させてなる構造の表示体（トラフィック・コーン、以下単に、「コーン」という）が汎用されている。このコーンは、通行者に注意を喚起する目的で使用されることから、視認性の高い着色（例えば赤色）が施されたものが多く用いられている。
【０００３】
近時、このコーンは、道路沿いなどの場所で通行の規制範囲を確保するのに、所要の範囲に多数並べて配置し、通行者の安全確保のための標識として用いられるほか、道路を利用するスポーツ競技（マラソンや自転車競技など）あるいはパレードなどにおけるコース規制・観客規制などに利用されている。
【０００４】
このようなコーンによる標識としての機能性を高めるために、コーンの周面に使用目的に対応した文字を記載表示することが行われている。その表示手段としては，コーンの周面に直接記載するほかに、所要の文字や図形を記載した別途シート材で円錐形に形成した表示物をコーンに被せて表示することが特許文献１あるいは特許文献２によって知られている。
【０００５】
【特許文献１】特開２０００−２０４５２４号公報
【特許文献２】特開２００２−３３９３２６号公報
【発明の開示】
【発明が解決しようとする課題】
【０００６】
しかしながら、前記先行技術にあって、特許文献１によるものでは、ほぼ扇形に形成したシートに伝達事項・広告などの内容を表示して、この表示シートをコーンの周面に沿う円錐筒状に形成し、これをコーンに被せて固定するようにされている。したがって、外被させる表示体はシート状の状態で印刷などを行えば任意の内容表示ができるが、使用する場所によっては十分な表示機能を発揮できない。例えば方向を示す場合、矢印を付しておいてもコーンを置く際に、その矢印による方向に合わせて正しく向きを決め配置しないと誤った方向を示すことになり、目的にそぐわないという問題がある。また、表示量が制限されるので、ごく簡単な記載事項に限定される。さらに、例えばイベントに関連する事項や短期間の行事などで表示使用する場合、その行事などが終了すると、コーンはそのままで利用できるが表示事項を付した表示体は不要となるので廃棄処分する必要が生じる。しかし、その表示体は円錐筒状に形成されているので、多くを集積すると非常に嵩張り始末のために多くの費用を要するという問題がある。
【０００７】
また、特許文献２によって知られるものでは、コーンに反射性のカバーを密接外被させるもので、長期間の使用に耐える構成にされている。したがって、このような構成のコーンでは、反射性カバーに表示されたものはそのまま永続させることになるので、用途限定され、多用途に適用することには適しないものである。
【０００８】
本発明は、このような事情に鑑みてなされたもので、コーンを核としてその周囲に表示体の一部を張出させて多様な表示ができる機能を備え、しかも簡単に取付・取外しが行え、組立・解体時にはシート状にできて嵩低く取扱える構成とされた立体標識を提供することを目的とするものである。
【課題を解決するための手段】
【０００９】
前記目的を達成するために、本発明による立体標識は、
所要面積を有するベース部の中央に立体錐形のコア部が直立して形成される支持体と、この支持体の前記コア部に沿わせて外被するシート材で形成される表示体とで構成され、
前記表示体は、前記コア部の外面に沿って保持される形状にされた主体部の少なくとも一箇所に外向きの接合縁部が形成され、この接合縁部でファスナーにより接合されて前記コア部に主体部が外被保持されるようにし、かつ前記接合縁部の一部または全部をコア部中心から放射状に突出して拡大表示部が形成され、表面に文字・図形などが表示されていることを特徴とするものである（第１発明）。
【００１０】
前記発明において、前記表示体における主体部の接合縁部は、扇形状に形成されたシート材の両側端が前記コア部の母線に沿って設けられる折目線を介してコア部表面から適宜幅寸法で張出すように形成され、複数箇所でファスナーにより閉じ合わせ得る構成であるのがよい（第２発明）。
【００１１】
前記発明において、前記表示体の主体部の内面には１条以上の縦溝が刻設されているのが好ましい（第３発明）。
【００１２】
前記第１発明において、前記拡大表示部は、外形をキャラクタに対応させた形状に形成されているのがよい（第４発明）。また、前記表示体の主体部には、一部を残して引起し可能に切抜き形成される表示部片が設けられているのがよい（第５発明）。
【００１３】
また、前記第１発明において、表示体には、携帯情報端末機で読み取れる表示記号を表わすようにしておくのがよい（第６発明）。
【発明の効果】
【００１４】
本発明においては、周知構造のコーンのコア部に所要の情報を表示した表示体を外被して路上などに配置すると、コーンに装着した表示体はその主体部をコーンのコア部に外嵌めして保持され、その装着時に閉じ合わせた表示体の接合縁部から延長させて設けた拡大表示部がコア部の外周に沿って形成される主体部より外側に張出して表示されることになる。こうすることによって、その拡大表示部に特徴のある表示を施せば、通行者に与える印象を高めることができる。したがって、その拡大表示部の外形を使用時の状況に応じたキャラクタに似せた外形に形成しておけば交通・規制の標識として、あるいは広告媒体として表示効果を一層高めることができるという効果を奏する。また、表示部が主体部とその拡大表示部とによって広く利用できるので、表示項目あるいは表示する文字などを大きく取扱うことができ、情報量を多くして利用者に多くの情報を提供できるという効果を奏する。
【００１５】
さらに、本発明では、表示体を使用現場で組立ができるので、運搬過程ではシート状のものを取扱えるので嵩低くでき、搬送コストを低減でき、現場での組立てに際しても簡単にファスナーで組立て固定できるから，迅速に使用可能な状態とすることができる。また、使用済みになっても分解すると組立て前の嵩低い状態になるので、取扱いが便利である。
【００１６】
このように、本発明によれば、移動・配置が容易に行えるコーンを利用して、装着する表示体を使用目的に対応させた外形と表示によって、本来の交通整理・安全標識の機能に加えて、情報提供手段ならびに広告媒体として簡便に利用できるという効果が得られるのである。
【発明を実施するための最良の形態】
【００１７】
次に、本発明による立体標識の具体的な実施の形態について、図面を参照しつつ説明する。
【００１８】
図１には本実施形態の立体標識の一具体例全体斜視図が示されている。図２には表示体の組付け前の態様を表わす斜視図が，図３には表示体の展開図が、それぞれ示されている。
【００１９】
この立体標識１は、所要寸法で方形のベース部材４と、その中央部にて直立する所要寸法の円錐形状のコア部３とが一体に形成されてなる周知構造の合成樹脂製コーン２（本発明の支持体に相当する）と、このコーン２のコア部３に外嵌装着される所要の文字・図形などを表示してなる表示体１０とで構成されている。
【００２０】
前記表示体１０は、耐水性を備えたシート材（例えば、ポリエチレン樹脂のラミネート加工された板紙、その他耐水加工されたシートあるいはプラスチックシートなど）で、前記コーン２のコア部３に外嵌装着できる寸法でほぼ扇形に形成される主体部１１と、この主体部１１の巻き付け幅方向の両端部で折目線ｂ，ｂを介して所要幅で縦長に形成される接合縁部１２，１３を備えた形状に、例えば打抜き機により打抜かれて外形が形成されている。なお、前記一方の接合縁部１３は使用される表示目的に応じて他方の接合縁部１２よりも拡大して外形１３ａをキャラクタに対応する形状に形成されて拡大表示部１４が一体に形成されている。
【００２１】
このようにされる表示体１０の主体部１１の内面側には、前記コーン２のコア部３における母線の方向に所要の間隔で複数の溝１５が刻設されている。こうすることで主体部１１を曲げてコア部３の外周に沿わせるのを容易にするとともに、脱着操作が簡単に行える機能を確保することができる。また、前記接合縁部１２，１３には所定のピッチで複数の締結用孔１６が形成されている。この締結用孔１６に締結用のファスナー１８（例えば、雄雌組合せのホックなど締結後分解できるものが好ましい）を嵌め込んで両接合縁部１２，１３を閉じ合わせ固定できるようにされている。
【００２２】
前記表示体１０の主体部１１の表面には、この表示体１０の使用目的に応じた文字や図形１９を印刷して表示する。また、前記拡大表示部１４にも所要の文字１９′や図形（例えば方向を示す矢印１９″）などを記載表示しておく。なお、この文字や図形などの印刷には耐水性の印刷インキを用いるのが好ましい。
【００２３】
このように形成される本実施形態の立体標識１は、使用に際してコーン２と表示体１０とを別個に所要場所に搬送し、使用現場において表示体１０を組立てて使用する。表示体１０は、図３にて示されるように展開した状態で所要量を重ねて搬送し、コーン２はコア部３が中空に形成されているので、このコア部３を嵌め合わせることで複数個を嵩張ることなく輸送できる。こうして目的場所に輸送したコーン２に対して展開されてシート状になっている表示体１０の主体部１１を円錐形に丸めて成形し、折目線ｂ，ｂに沿って接合縁部１２，１３を外向きに折り曲げると、図２に示されるように円錐形の母線に沿って一箇所が開放された状態になるので、この状態でコーン２のコア部３の周面に巻付けるようにし、接合縁部１２，１３を重ね合わせて締結用孔１６位置でファスナー１８を嵌め合わせ締結することにより図１に示されるようにコーン２に表示体１０を外被装着することができる。
【００２４】
前記表示体１０は、その主体部１１の裏面側に図３で表されるように、複数の溝１５を縦方向に刻設しておくことで、組立時円錐形に成形するのが容易であり、コーン２のコア部３周面に沿わせて外観を損なうことなく装着することができる。また、この立体標識１は、使用期間が終了して撤去する際に、締結していた接合縁部１２，１３での締結ファスナー１８を取り外すと、分解することができ、表示体１０を展開すると平板状に戻すことができるので、積み重ねて嵩低くして輸送すればよく、輸送コストを削減するのに役立つのである。なお、表示体１０を組立てたままでコア部３から外す場合、表示体１０の主体部１１裏面に設けた溝部１５が外嵌しているこの表示体１０の主体部１１とコア部３との接触面に空気の流通路として作用し、取外し操作を容易にするのである。
【００２５】
また、前記拡大表示部１４については、その外形１３ａを表示目的などに対応して、例えばマンガやアニメのキャラクタをイメージする輪郭に形成して所要の文字・図形などを表示するようにしてもよい。こうすると、例えばイベントの会場などでの案内表示として使用すれば、主体部１１に表記する文字１９などの表示効果と相俟ってより有効に機能させることができる。また、この拡大表示部１４は、例えばマラソンや自転車のロードレースなど道路を使用するイベントにおいて距離表示や通行規制などに用いる場合、矢印とともに距離表示などを表記しておけば、競技者にその表示を明瞭に示すことができるという利点がある。このほかに、一般道路などでの通行者の通行規制や通行案内として用いる場合において、種々な表示を行うことができ、この拡大表示部１４で方向性を表わすのに、コーン２の表面部から所要の方向に向きを合わせて突出すように装着することで、記載事項の視認効果が高められ効果的である。
【００２６】
また、前記表示体１０における拡大表示部１４は、接合縁部１２，１３の一方を延長して設けるほかに、図３で二点鎖線によって示すように両方の接合縁部１２，１３から延長して形成するようにしてもよい。この場合両方の拡大表示部１４，１４′は，その外形を同一に揃えることが望ましい。こうしておけば両拡大表示部１４，１４′の表面に所要の表示ができるので、いわば両面に表示する状態となり便利である。
【００２７】
一方、上述の方式によれば拡大表示部１４が主体部１１から突出した状態で一枚のシート上に形成されるので、使用材料シートからの切り抜きに際して無駄が発生することになる。そこで、図４に示される表示体１０Ａは、その拡大表示部１４ａを別個に形成したものを、主体部１１と二点鎖線ａで示すように組合わせる構成としたものである。この別体の拡大表示部１４ａは、その基部１４ａ′を主体部１１両端の接合縁部１２，１３間に挟み込んで締結ファスナー１８（この図４では図示省略）により締結する、いわゆる共締めによって取付けるようにする。こうすると、形成材料を有効に使用することができる。また、拡大表示部１４ａとしても使用材料の規制がないので、用途に応じてユニークな外形をしたものを採用することが可能になり、立体標識１として機能性を一層向上させることができる。
【００２８】
図５に示されるのは、他の実施形態の表示体を表わす斜視図である。この実施形態の表示体１０Ｂは、基本構成において前記実施形態のものと同様であるが、その構成の一部を異にするもので、表示体１０Ｂが二つの主体部片１１Ａ、１１Ｂを組合わせて構成されるものである。
【００２９】
この表示体１０Ｂの主体部片１１Ａ、１１Ｂは、耐水シート材で前記コーン２のコア部３（図示省略）を半周囲うように形成され、扇形状にされた主体部片１１Ａ，１１Ｂの両端にそれぞれ前記実施形態と同様に外折りする折目線ｂを介して所要寸法の接合縁部１２，１３が連設されている。この接合縁部１２，１３にはそれぞれ締結用孔１６が複数設けてあり、また主体部片１１Ａ、１１Ｂの裏面側には図示されない複数の溝１５が縦方向に刻設されている。また、拡大表示部１４については、片方の主体部片１１Ａにおいて前記実施形態のものと同様にして延長形成される。あるいは両主体部片１１Ａ、１１Ｂを対称に形成して、図示されないが組合わせると拡大表示部１４が重なり合って表裏両面に表示できるものとすることができる。
【００３０】
この実施形態の立体標識１Ａにおいても前記実施形態の立体標識１と同様の効果を奏する。また、この立体標識１Ａで拡大表示部１４を別体にしたものを組合わせるようにすることができる。こうすると、部片の点数は多くなるが、シート材を有効に使用できるのと組立・解体による表示体の嵩を小さくして取扱容易にすることができるという利点がある。
【００３１】
さらに、図６（ａ）に示されるのは、表示体として異なる形状の立体標識の一具体例であり、この立体標識１Ｂは、表示体１０Ｃとして表示部片２０を前記構成の主体部１１′の表面における任意の箇所に切抜き形成して、使用時にその表示部片２０を引起して表示させるようにしたものである。このような構成の立体標識１Ｂにおいては、図６（ｂ）に示されるように、表示体１０Ｃとしてシート材から所要寸法で主体部１１′を扇形状に打抜き形成する際に、その主体部１１′における任意の位置に所要の外形で基部となる部分２０ａを残して切抜き線ｄを形成しておく。もちろん、主体部１１′の両端部には折目線ｂ，ｂを介して接合縁部１２，１３が形成される。
【００３２】
このように形成された表示体１０Ｃは、コーン２に対する取付けを前記実施形態の場合と同じ要領で円錐形状に丸め、接合縁部１２，１３を合わせて取付孔１６位置でファスナー１８により綴じ合わせて固定する。こうすると、主体部１１′に切抜き線ｄによって基部２０ａを残して形成された表示部片２０が主体部１１′の表面から浮き出して図６（ａ）で例示されるように表示される。したがって、前述の実施形態のように拡大表示部として主体部１１から放射状に設けて指向性を得る場合と異なる条件での表示を行わせることができる。なお、この表示体１０Ｃの場合、表示部片２０を浮き出させた跡が孔となるのが、コーン２のコア部３の一部が露出することによるコーン２の地色が現れて特異性のある態様とできる。
【００３３】
このような形式の立体標識１Ｂでは、主体部１１′に一体的に形成される表示部片２０が主体部１１′を展開して平板状になったとき、その主体部１１′の元の位置に収まるので嵩張ることなく取扱えて輸送費を低減できる。もちろん、この表示部片２０は主体部１１′と一体のものであるから、製作時にも打抜き加工で一挙に形成され、コストをアップすることにならない。また、用途に応じてその外形を任意に形成できるので、表示効果の高い形状を選択することが可能である。
【００３４】
上述した各形式の表示体１０（１０Ａ、１０Ｂ）において、その表面の任意の位置に例えばインターネットナンバー，二次元コード（例えばＱＲコード）あるいはＲＦＩＤ（Ｒａｄｉｏ  Ｆｒｅｑｕｅｎｃｙ  ＩＤｅｎｔｆｉｃａｔｉｏｎ）などの表示マーク３０（図１参照）を付記しておくことにより、この表示マーク３０によりイベント情報や主催企業について表示しておけば、携帯型の情報端末機（例えば携帯電話機）にてそれら表示を取得して内容を検索できるようにすることで、簡単な立体標識によって多くの情報を提供することができる。また、利用者は、手軽に各種の情報を得ることができる利便さを有する。このような手段を組合わせることにより、情報の媒体として広告する効果を一層高めることが可能になる。
【００３５】
上記説明では、支持体としてコーンを使用するものについて記載したが、この支持体としては、円錐形状のもののみならず、角錐形状の立体表示構造の物体を使用して、表示体をその角錐形状のものに対応させるようにすることも可能である。
【００３６】
本発明によれば、上述の実施形態に限定されるものではなく、本発明の趣旨に則すれば任意形状に形成することが可能であり、それらは本発明の技術的範囲に属することは言うまでもない。
【図面の簡単な説明】
【００３７】
【図１】本実施形態の立体標識の一具体例全体斜視図が示されている。
【図２】表示体の組付け前の態様を表わす斜視図
【図３】表示体の展開図
【図４】表示体の別態様のものを表わす斜視図
【図５】表示体の別態様のものを表わす斜視図
【図６】表示の形態が異なる立体標識を表わす斜視図（ａ）と表示体の展開図
【符号の説明】
【００３８】
１，１Ａ、１Ｂ    立体標識
２    コーン
３    コーンのコア部
４    ベース部材
１０，１０Ａ，１０Ｂ，１０Ｃ    表示体
１１，１１′    主体部
１１Ａ，１１Ｂ    主体部片
１２，１３    接合縁部
１３ａ    拡大表示部の外形
１４，１４′，１４ａ    拡大表示部
１５    溝
１６    締結用の取付孔
１８    締結ファスナー
１９，１９′    表示する文字
２０    表示部片
３０    表示マーク
【図１】
2008138367.tif 000003
【図２】
2008138367.tif 000004
【図３】
2008138367.tif 000005
【図４】
2008138367.tif 000006
【図５】
2008138367.tif 000007
【図６】
2008138367.tif 000008